(57)【要約】【課題】ＥＰＧ信号のように定期的に送信される信号に対して、受信内容から該信号の到来を検知することなく、またスライスレベルの調整処理における制御負荷をできるだけ抑えるとともに、該信号の送信開始後できるだけ早期に、かつ確実にスライスレベルの調整を実行できるスライスレベル調整装置の提供を目的とする。【解決手段】所定時刻に送信が開始される信号について、該信号の波形に応じたスライスレベルの調整を行うスライスレベル調整装置において、現在の時刻を計時する計時部を備え、前記スライスレベルの調整を、前記計時部が略前記所定時刻を計時した時に第１調整として行うとともに、前記計時部が前記所定時刻から予め定められた再調整待機時間の経過を計時した時に第２調整として行うスライスレベル調整装置とする。【選択図】図２
2007235708.tif 000002
【特許請求の範囲】
【請求項１】
所定時刻に送信が開始されるＥＰＧ信号について、該信号の波形に応じたスライスレベルの調整を行うスライスレベル調整装置において、
現在の時刻を計時する計時部を備え、
前記スライスレベルの調整を、前記計時部が略前記所定時刻を計時した時に第１調整として行うとともに、前記計時部が前記所定時刻から予め定められた再調整待機時間の経過を計時した時に第２調整として行うものであって、
前記第１調整では、
所定期間内における前記信号の最大値および最小値を検出すると共に、これらの中間値をスライスレベルとして許容し得るか否かを判断する第３処理が行われ、
該第３処理により、許容し得ると判断された場合は、
前記中間値をスライスレベルとして採用し、
該第３処理により、許容されないと判断された場合は、
スライスレベルの上限として予め定められた上限レベルと；スライスレベルの下限として予め定められた下限レベルと；の間を所定数に分割して得られる第１レベル群について、これらの中からスライスレベルとして最適なレベルを選出する第１処理と、
前記第１レベル群のうち、前記第１処理により選出されたレベルの両隣に位置するレベルについて、該レベル同士の間を、更に所定数に分割して得られる第２レベル群の中から、スライスレベルとして最適なレベルを選出する第２処理と、を行って、該第２処理により選出されたレベルをスライスレベルとして採用し、
前記第２調整では、
前記第１調整で採用されたスライスレベルが、スライスレベルとして許容し得るか否かを判断する第４処理が行われ、
該第４処理により、許容し得ると判断された場合は、
前記第１調整で採用されたスライスレベルを、引き続きスライスレベルとして維持し、
該第４処理により、許容されないと判断された場合は、
前記第１処理および前記第２処理を行い、該第２処理により選出されたレベルをスライスレベルとして採用することを特徴とするスライスレベル調整装置。
【請求項２】
所定時刻に送信が開始される信号について、該信号の波形に応じたスライスレベルの調整を行うスライスレベル調整装置において、
現在の時刻を計時する計時部を備え、
前記スライスレベルの調整を、前記計時部が略前記所定時刻を計時した時に第１調整として行うとともに、前記計時部が前記所定時刻から予め定められた再調整待機時間の経過を計時した時に第２調整として行うことを特徴とするスライスレベル調整装置。
【請求項３】
前記第１調整及び／または第２調整は、
スライスレベルの上限として予め定められた上限レベルと；スライスレベルの下限として予め定められた下限レベルと；の間を所定数に分割して得られる第１レベル群について、これらの中からスライスレベルとして最適なレベルを選出する第１処理と、
前記第１レベル群のうち、前記第１処理により選出されたレベルの両隣に位置するレベルについて、該レベル同士の間を、更に所定数に分割して得られる第２レベル群の中から、スライスレベルとして最適なレベルを選出する第２処理と、
を含むことを特徴とする請求項２に記載のスライスレベル調整装置。
【請求項４】
前記第１調整は、所定期間内における前記信号の最大値および最小値を検出すると共に、これらの中間値をスライスレベルとして許容し得るか否かを判断する第３処理を含むことを特徴とする請求項２または請求項３に記載のスライスレベル調整装置。
【請求項５】
前記第２調整は、前記第１調整で採用されたスライスレベルが、スライスレベルとして許容し得るか否かを判断する第４処理を含むことを特徴とする請求項２から請求項４の何れかに記載のスライスレベル調整装置。
【請求項６】
ＥＰＧ信号に対してスライスレベルの調整を行う、請求項１から請求項５の何れかに記載のスライスレベル調整装置と、
該スライスレベル調整装置により得られたスライスレベルに基づき、前記ＥＰＧ信号からＥＰＧデータを取得するデータ取得部と、を備えたことを特徴とするＥＰＧデータ取得装置。
【発明の詳細な説明】
【技術分野】
【０００１】
本発明は、スライスレベル調整装置およびこれを用いたＥＰＧデータ取得装置に関し、特に、ゴースト現象等が発生してもスライスレベルを適正に調整し得るスライスレベル調整装置に関する。
【背景技術】
【０００２】
従来、ＴＶ信号の垂直帰線区間などを利用したＥＰＧ［Electric Program Guide：電子番組表］データの配信が広く行われている。まずＥＰＧデータ送信形態の一例について簡単に説明する。
【０００３】
１回分のＥＰＧデータは、１日あたり数回程度、所定の時刻から数分間にわたって放送局から送信される。また受信エラー時の補償などのために、同一のＥＰＧデータは３回程度、連続的に繰り返し送信される。図８にＥＰＧデータを搬送するＴＶ信号の内容を示す。図８のようにＥＰＧデータがコーディングされている部分（以下、「ＥＰＧ信号」とする）は、ＴＶ信号の水平同期信号およびバースト信号と、次に到来する水平同期信号との間に位置する。そしてＥＰＧデータの搬送は、フィールド期間中、垂直帰線区間内の４ライン分（１０番目〜１３番目）において行われる。
【０００４】
さらにＥＰＧ信号は、先頭から、ＣＲＩ、ＦＲＣ、ＤＡＴＡの各部分より構成される。ＣＲＩ［Clock Run In］は、ビットクロックの同期をとるための部分であり、ＦＲＣ［Frame Code］は、各ＶＢＩ方式固有の識別コードに係る部分であり、ＤＡＴＡは、ＥＰＧの内容に関するデータがコーディングされている部分である。
【０００５】
ＥＰＧ信号は放送局からの搬送のため、上記した内容のデジタル情報を変調したものとなっている。そのため受信装置側では、例えばサンプリングパルスを用いて所定の閾値（スライスレベル）とＥＰＧ信号の値を比較することにより、逐次デジタル情報を取得することとしている。従って、スライスレベルが適切に設定されていなければ、デジタル情報の取得段階で重大なエラーが発生することになる。特にゴースト等のノイズによってＥＰＧ信号の振幅がぶれるような場合には、エラーが発生しやすくなるために深刻な問題となる。
【０００６】
かかる問題に対処するため、従来、例えば図８に示しているように、所定期間内におけるＥＰＧ信号の最大値と最小値を検出してこれらの中間値を算出し、算出結果をそれ以降のスライスレベルに設定することが行われていた。また特許文献１には、ゴースト等のノイズによって受信信号に歪みが生じても文字放送データの抜き取りが正しく行われるように、スライスレベルを適宜調整する技術が開示されている。
【０００７】
このようなスライスレベルの調整は、刻々変動するノイズ環境にも対応するべく、現に受信しているＥＰＧ信号の状態に即して行い、現状に適したレベルに調整されることが望ましい。さらに可能な限り早い段階で、調整済みのスライスレベルを用いてＥＰＧ信号を処理できるように、該調整はＥＰＧ信号の送信開始後できるだけ迅速に行われることが望ましい。そのため、かかる調整を行うタイミングを、どのようにとるかが重要となる。
【０００８】
この点、現にＥＰＧ信号の受信が行われているかに関わらず、恒常的にスライスレベルの調整を実行する方法（以下、「第１方法」とする）が挙げられる。この場合、ＥＰＧ信号を受信していない期間は、スライスレベルは適切に調整されないが、実際にＥＰＧ信号は到来していないので特に問題はない。またＥＰＧ信号の受信が始まると、自動的に現状を反映したスライスレベルの調整がなされる。
【０００９】
また他の方法として、継続的に送信されるＴＶ信号中におけるＥＰＧ信号の有無を検知し、ＥＰＧ信号の到来が検知されたときにスライスレベルの調整を開始する方法（以下、「第２方法」とする）も挙げられる。この場合、例えばＴＶ信号中でのＥＰＧ信号が割り当てられるべき位置の振幅を常時監視しておき、振幅が一定値を超えた時にＥＰＧ信号が受信されたと判断し、スライスレベルの調整を開始する。
【特許文献１】特公平０８−０３２０２６号公報
【特許文献２】特開平０８−２８９２１６号公報
【発明の開示】
【発明が解決しようとする課題】
【００１０】
上記した第１方法によると、何時ＥＰＧ信号が到来したかを検知する必要がなく、ＥＰＧ信号が到来したときは、自動的に現状を反映したスライスレベルの調製がなされる。しかしながらＥＰＧ信号は１日に数回程度の頻度で送信されるものであるから、恒常的にスライスレベルの調整を行うこの方法によると、必要以上に制御装置等の負荷を増大させる結果となり極めて非効率的である。
【００１１】
また上記した第２方法によると、ＥＰＧ信号が到来した時にのみ、スライスレベルの調整が行われるので、第１方法に比べて制御装置等の負荷は大きく低減する。しかしながらこの方法によると、信号に何らかのノイズが混入した場合等には、ＥＰＧ信号の到来を正確に検知できないおそれがある。またＥＰＧ信号の到来時と非到来時における信号波形が近似しているような場合は、ＥＰＧ信号の到来自体の検知が難しくなるおそれがある。
【００１２】
そこで本発明は上記の問題に鑑み、ＥＰＧ信号のように定期的に送信される信号に対して、受信内容から該信号の到来を検知することなく、またスライスレベルの調整処理における制御負荷をできるだけ抑えるとともに、該信号の送信開始後できるだけ早期に、かつ確実にスライスレベルの調整を実行できるスライスレベル調整装置およびこれを用いたＥＰＧデータ取得装置の提供を目的とする。
【課題を解決するための手段】
【００１３】
上記目的を達成するため、本発明によるスライスレベル調整装置は、所定時刻に送信が開始される信号について、該信号の波形に応じたスライスレベルの調整を行うスライスレベル調整装置において、現在の時刻を計時する計時部を備え、前記スライスレベルの調整を、前記計時部が前記所定時刻を計時した時に第１調整として行うとともに、前記計時部が前記所定時刻から予め定められた再調整待機時間の経過を計時した時に第２調整として行う構成（第２の構成）とする。
【００１４】
計時部が所定時刻を計時したタイミングでスライスレベルの調整を行うようにすれば、受信内容からＥＰＧ信号等の到来を検知する必要なく、該信号の到来に迅速に対応した該調整が可能である。そのため該信号の送信開始後の早い段階で、スライスレベルの調整を行うことができる。またスライスレベルの調整を所定の限られたタイミングで行うことにより、他のタイミングで該調整を行う必要がなく、該調整処理における制御負荷をできるだけ抑えることが可能である。
【００１５】
しかし単に計時部が所定時刻を計時した時にスライスレベルの調整を行うものでは、計時部で計時誤差が生じた場合に、該調整が正しく行われないという課題が生じる。例えば、スライスレベルの調整対象となる信号が実際に送信される前（所定時刻の前）に、計時部が誤って所定時刻を計時してしまった場合には、該信号が存在しない状態で該調整が行われてしまうこととなる。
【００１６】
そこで本構成では、所定時刻から、再調整待機時間の経過を計時した時にも、再度スライスレベルの調整（第２調整）を行うことで、このような問題を解決し得る。例えば、計時部の計時誤差範囲が１ヶ月に±６０秒であって、１ヶ月に１度の周期で時刻調整を行う場合は、計時部において最大でも６０秒以内の誤差に収まることが想定される。よってこの場合は、所定時刻から少なくとも６０秒の経過を検知した時にも、再度スライスレベルの調整を行うようにすると良い。
【００１７】
上述のように本構成では、第１調整により、調整対象となる信号の受信期間における早い段階でのスライスレベル調整を可能とする一方、第２調整により、計時誤差が生じたとしても現に該信号を受信している状況でのスライスレベル調整を確実に行うことが可能となる。
【００１８】
また上記第２の構成において、前記スライスレベルの調整は、スライスレベルの上限として予め定められた上限レベルと；スライスレベルの下限として予め定められた下限レベルと；の間を所定数に分割して得られる第１レベル群について、これらの中からスライスレベルとして最適なレベルを選出する第１処理と、前記第１レベル群のうち、前記第１処理により選出されたレベルの両隣に位置するレベルについて、該レベル同士の間を、更に所定数に分割して得られる第２レベル群の中から、スライスレベルとして最適なレベルを選出する第２処理と、を含む構成（第３の構成）としても良い。
【００１９】
本構成によれば、スライスレベルの上限レベルと下限レベルの間において、まず第１処理により、スライスレベルとして最適なレベルを粗めに選出しておき、次に第２処理により、第１処理で選出されたレベルの近傍からスライスレベルとして最適なレベルを細かめに選出する。そのためスライスレベルとして最適なレベルの探索を、高精度としながらも効率良く行うことが可能となる。
【００２０】
また上記第２または第３の構成において、前記第１調整は、所定期間内における前記信号の最大値および最小値を検出すると共に、これらの中間値をスライスレベルとして許容し得るか否かを判断する第３処理を含む構成（第４の構成）としても良い。
【００２１】
本構成によれば、所定の第３処理によってスライスレベルとして許容し得るレベルが得られた場合に、このレベルをスライスレベルとして採用することが可能である。第３処理では、信号の最大値と最小値の中間値を検出するだけで良いから迅速かつ制御装置の負荷を抑えた調整処理が実現できる。なお信号波形の歪みが小さい場合は、第３処理のように簡便な処理でも、適切なスライスレベルの探索を行うことが可能である。
【００２２】
また第３処理によってスライスレベルとして許容し得るレベルが得られない場合、すなわちノイズによって信号波形に相当の歪みが生じたような場合には、別途高精度なスライスレベルの調整を行うようにすれば良い。このように本構成では、ノイズ環境等に応じて、処理負担と処理精度のバランスを考慮した、適切なスライスレベルの調整処理を実現できる。
【００２３】
また上記第２から第４の何れかの構成において、前記第２調整は、前記第１調整で採用されたスライスレベルが、スライスレベルとして許容し得るか否かを判断する第４処理を含む構成（第５の構成）としても良い。
【００２４】
本構成によれば、第４処理によってスライスレベルとして許容し得るレベルと判断されれば、第１調整で採用されたスライスレベルを、引き続きそれ以降のスライスレベルとして採用することが可能である。そのため、新たに適切なスライスレベルの探索を行う必要がなくなり、処理負担が軽減する。
【００２５】
また第４処理によってスライスレベルとして許容し得るレベルと判断されない場合は、別途高精度なスライスレベルの調整を行うようにすれば良い。このように本構成では、第１調整が適切になされたか否か等に応じて、処理負担と処理精度のバランスを考慮した、適切なスライスレベルの調整処理を実現できる。
【００２６】
また、ＥＰＧ信号に対してスライスレベルの調整を行う、下記の第１または上記第２から第５の構成の何れかに係るスライスレベル調整装置と、該スライスレベル調整装置により得られたスライスレベルに基づき、前記ＥＰＧ信号からＥＰＧデータを取得するデータ取得部と、を備えた構成（第６の構成）のＥＰＧデータ取得装置としても良い。本構成によれば、第１から第５の構成の何れかにおける利点を享受しつつ、ＥＰＧデータを取得することが可能となる。
【００２７】
なお、所定時刻に送信が開始されるＥＰＧ信号について、該信号の波形に応じたスライスレベルの調整を行うスライスレベル調整装置において、現在の時刻を計時する計時部を備え、前記スライスレベルの調整を、前記計時部が前記所定時刻を計時した時に第１調整として行うとともに、前記計時部が前記所定時刻から予め定められた再調整待機時間の経過を計時した時に第２調整として行うものであって、前記第１調整では、所定期間内における前記信号の最大値および最小値を検出すると共に、これらの中間値をスライスレベルとして許容し得るか否かを判断する第３処理が行われ、該第３処理により、許容し得ると判断された場合は、前記中間値をスライスレベルとして採用し、該第３処理により、許容されないと判断された場合は、スライスレベルの上限として予め定められた上限レベルと；スライスレベルの下限として予め定められた下限レベルと；の間を所定数に分割して得られる第１レベル群について、これらの中からスライスレベルとして最適なレベルを選出する第１処理と、前記第１レベル群のうち、前記第１処理により選出されたレベルの両隣に位置するレベルについて、該レベル同士の間を、更に所定数に分割して得られる第２レベル群の中から、スライスレベルとして最適なレベルを選出する第２処理と、を行って、該第２処理により選出されたレベルをスライスレベルとして採用し、前記第２調整では、前記第１調整で採用されたスライスレベルが、スライスレベルとして許容し得るか否かを判断する第４処理が行われ、該第４処理により、許容し得ると判断された場合は、前記第１調整で採用されたスライスレベルを、引き続きスライスレベルとして維持し、該第４処理により、許容されないと判断された場合は、前記第１処理および前記第２処理を行い、該第２処理により選出されたレベルをスライスレベルとして採用する構成（第１の構成）に係るスライスレベル調整装置とすれば、上記第２から第５までの全ての構成における利点を享受しつつ、ＥＰＧ信号に対するスライスレベルの調整を行うことが可能となる。
【発明の効果】
【００２８】
本発明のスライスレベル調整装置によれば、計時部が所定時刻を計時したタイミングでスライスレベルの調整（第１調整）を行うようにしているので、受信内容からＥＰＧ信号等の到来を検知する必要なく、該信号の到来に迅速に対応した該調整が可能である。そのため該信号の送信開始後の早い段階で、スライスレベルの調整を行うことができる。またスライスレベルの調整を所定の限られたタイミングで行うことにより、他のタイミングで該調整を行う必要がなく、該調整処理における制御負荷をできるだけ抑えることが可能である。
【００２９】
さらに、所定時刻から再調整待機時間の経過を計時した時にも、再度スライスレベルの調整（第２調整）を行うことで、計時部に計時誤差が生じる等により第１調整が適切になされなかった場合であっても、適切な（現に該信号を受信している状況での）スライスレベル調整を確実に行うことが可能となる。
【発明を実施するための最良の形態】
【００３０】
以下に、本発明の実施形態であるＴＶ受信装置について図面を参照しながら詳述する。図１は当該装置の構成概略図である。図１のように当該装置は、アンテナ１、受信部２、検波回路３、ＥＰＧデータ抽出部４、スライスレベル調整部５、計時部６、記憶部７、制御部８などから構成されている。
【００３１】
アンテナ１により受信されたＴＶ信号は、受信部２へと伝達される。受信部２は、所望の周波数の信号を選出するためのチューナ回路等を有しており、受信信号に所定の処理を加えて後段の回路に出力する。
【００３２】
検波回路３は、入力される信号から映像信号ならびに音声信号を抜き出して、後段の回路に出力する。そして後段の回路ではこれらの信号に基づいて、映像ならびに音声を出力する。
【００３３】
ＥＰＧデータ抽出部４は、入力される信号からＥＰＧ情報を抜き出して、後段の回路に出力する。具体的には、入力信号に含まれるＥＰＧ信号と、スライスレベル調整部５で決定されたスライスレベルを、所定のサンプリングパルスの示すタイミングに合わせて比較する。そして両者の大小関係に応じてＥＰＧに係るデジタルデータを抽出する。なお後段の回路では、抽出されたＥＰＧデータに基づいてＥＰＧ情報をユーザへ提供する。
【００３４】
スライスレベル調整部５は、ＥＰＧデータ抽出部４で用いられるスライスレベルを適切なレベルに調整する。調整方法の具体的な内容については、後に改めて詳述する。
【００３５】
計時部６は、例えば水晶発振器や分周回路を用いることにより、現在の時刻を継続的に計時する。現在時刻の情報は、一連のスライスレベルの調整を開始するタイミングをとるために用いられる。また現在時刻の情報は、表示手段を通じてユーザに時刻を報知するために用いても良い。
【００３６】
記憶部７は、ＥＰＧ信号が放送局から送信される時刻（ＥＰＧ送信時刻）や、スライスレベルの調整処理等に用いられる各種情報（後述するＳＴＥＰ１・ＳＴＥＰ２の処理で用いられる各レベルの値等）などを記憶する。
【００３７】
そして制御部８は、ＴＶ受信装置内の各部の動作を制御する。特に計時部６を通じて、スライスレベルの調整を行うべき時刻の到来を検知したときは、スライスレベル調整部５を通じて、後述するスライスレベルの調整処理を実行する。
【００３８】
次に本実施形態において実行されるスライスレベルの調整内容について、図２から図４のフローチャートを参照しながら詳細に説明する。まず当該処理の全体的な流れについて、図２に基づいて説明する。なお図２左側に記載している「第１調整」、「第２調整」および「第１処理」〜「第４処理」の語句は、本願の特許請求の範囲で使用している文言に対応する。
【００３９】
計時部６がＥＰＧ送信時刻を計時すると、まず初めに受信される１ライン（水平同期信号間）分のＥＰＧ信号について、その振幅方向についての最大値と最小値を検出する。そしてこれらの値の中間値を、エラーライン数チェック用のレベル（以下、「テストレベル」とする）に設定する。なおテストレベルは実際のスライスレベルと同様に、上方のスレッショルドレベル（以下、「ＲＥＦ１」とする）と、下方のスレッショルドレベル（以下、「ＲＥＦ２」とする）の２レベルを１組とする。またこのように、振幅の最大値と最小値の中間値をテストレベルとする設定を、以下適宜「ＡＵＴＯ設定」と称する。またスライスレベルの調整処理の開始時期は、計時部６がＥＰＧ送信時刻を計時したときに厳密に限定されるものではなく、本発明の趣旨を逸脱しない範囲での時差を設けていても良い。
【００４０】
次に、ＡＵＴＯ設定によるテストレベルを用いて、エラーライン数のチェックを実行する（ステップＳ１）。ここでエラーライン数のチェックは、サンプリングパルスに同調して、ＥＰＧ信号が上側に凸であればＥＰＧ信号値がＲＥＦ１以上であるか否か、ＥＰＧ信号が下側に凸であればＥＰＧ信号値がＲＥＦ２以下であるか否かを検知する。そして１ラインの中にこの条件を満たさず、エラーと認められる箇所がある場合は、そのラインはエラーラインとしてカウントする。例えば図５のような場合、実線で示したテストレベルによるとエラーとはならないが、破線で示したテストレベルによれば矢印で示した箇所がエラーと認められるので、エラーラインとしてカウントされる。ＥＰＧ信号が上側に凸であるにも関わらず、ＥＰＧ信号値がＲＥＦ１より小さいからである。
【００４１】
また５０フィールド間でのエラーライン数のチェックを１セットとする。ＥＰＧ信号を含むラインは、１フィールドあたりに４本存在するから、１セット分のチェック本数は、４×５０＝２００本となる。ステップＳ１では、このようなチェック処理を３セット行うこととする。なお１セット分のチェックにかかる時間は、１６msec（１フィールド時間）×５０＝８００msec程度となる。
【００４２】
次にステップＳ１で行われた３セット分のチェック結果において、エラーライン数が２００ライン中１０を上回るセットが、２セット以上あったか否かを判断する（ステップＳ２）。そして２セット以上あった場合（ステップＳ２のＹ）は、現状のテストレベルではスライスレベルとして不適切とみなし、引き続きＳＴＥＰ１（ステップＳ３）およびＳＴＥＰ２（ステップＳ４）の処理を行い、ＳＴＥＰ２の処理で選出されたレベルをスライスレベルとして採用する（ステップＳ５）。
【００４３】
また逆に２セット以上なかった場合は（ステップＳ２のＮ）、現状のテストレベルはスライスレベルとして適切とみなし、ＳＴＥＰ１及びＳＴＥＰ２の処理を行わず、ＡＵＴＯ設定で得られたテストレベルをスライスレベルとして採用する（ステップＳ６）。なおＳＴＥＰ１およびＳＴＥＰ２の処理については、後に詳述する。
【００４４】
その後、計時部によって、ＥＰＧ信号の送信開始時刻から予め定められた再調整待機時間が経過したことを検知すると、現時点で設定されているスライスレベルをテストレベルとして、ステップＳ１での処理と同様、５０フィールド分のエラーライン数チェックを３セット行う（ステップＳ８）。そしてステップＳ８でのチェック結果において、エラーライン数が１０を上回るセットが２セット以上あったか否かを判断する（ステップＳ９）。なお再調整待機時間を設ける意義については、後に詳述する。
【００４５】
その結果、２セット以上あった場合は（ステップＳ９のＹ）、ＳＴＥＰ１（ステップＳ１０）およびＳＴＥＰ２（ステップＳ１１）の処理を行い、ＳＴＥＰ２で選出されたテストレベルを改めてスライスレベルとして採用する（ステップＳ１２）。逆に２セット以上ない場合は（ステップＳ９のＮ）、ＳＴＥＰ１およびＳＴＥＰ２の処理は行わず、既に採用されているスライスレベルを、引き続きスライスレベルとして維持する。以上説明したステップＳ１からＳ１２の処理を経て、一連のスライスレベルの調整処理は完了する。上記した調整処理により、ＥＰＧ信号の波形（特に振幅の状態）に応じて、スライスレベルが適切な値に調整される。
【００４６】
なお上述の通り本実施形態では、再調整待機時間の経過待ち（ステップＳ７）の後に、再度スライスレベルの調整を行うことにしている。そのため仮に計時部での計時誤差が生じたとしても、スライスレベルの調整を正しく行うことができる。すなわち計時部での計時誤差のため、ＥＰＧ信号が実際に送信される前（受信側に到来する前）に、誤ってＥＰＧ信号の送信時刻の到来を検知してしまう可能性がある。そしてこの場合には、ＥＰＧ信号が存在しない状態でスライスレベルの調整が行われることになるので、該調整が正しく行われないおそれがある。ＥＰＧ信号を受信している時と受信していない時とでは、ＥＰＧ信号が存在すべき位置の振幅等が異なるからである。
【００４７】
ところが図６に示すように、計時部で計時誤差が生じた場合であっても、再調整待機時間を該計時誤差より大きく設けておけば、必ずＥＰＧ信号を受信している状態でのスライスレベルの調整が行われる。ここで再調整待機時間は、想定される計時誤差よりも大きくなるように、任意に設定することが可能である。例えば計時部が±６０秒／月の誤差を生じ得るものであって、毎月１回の時刻合わせを行うような場合であれば、計時誤差として６０秒を想定しておけば良く、再調整待機時間を２分などに設定すれば良い。
【００４８】
このように、ステップＳ１からステップＳ６の処理（第１調整）により、ＥＰＧ信号の到来に迅速に対応したスライスレベルの調整を可能としつつも、ステップＳ８からステップＳ１２の処理（第２調整）を行うことによって、計時部６に誤差が生じていたとしても、現状のＥＰＧ信号の振幅状態を反映したスライスレベルの調整がなされる。
【００４９】
また計時部の計時誤差範囲（単位時間あたりに生じ得る誤差）の情報を記憶部に格納しておくとともに、計時部の時刻合わせを行う頻度を入力する入力部を設けておき、この計時誤差範囲と時刻合わせを行う頻度との積を自動的に再調整待機時間として設定するようにしても良い。このようにすれば、ユーザは時刻合わせを行う頻度を入力するだけで良いから、さらに利便性が向上する。
【００５０】
次に先述したＳＴＥＰ１の処理内容を図３および図７に基づいて説明する。ＳＴＥＰ１では、スライスレベルの下限として予め定められたレベル（以下、「下限レベル１」とする）から、スライスレベルの上限として予め定められたレベル（以下、「上限レベル１」とする）までにおいて、スライスレベルとして最適なレベルを粗めに選出することを目的とする。
【００５１】
まず、テストレベル（ＲＥＦ１とＲＥＦ２）を下限レベル１にセットする（ステップＳ２１）。そしてこの状態で、ステップＳ１の場合と同様にエラーライン数のチェックを行い（ステップＳ２２）、その時のエラーライン数をレジスタ等に保持する（ステップＳ２３）。
【００５２】
これらステップＳ２２およびＳ２３の処理は、テストレベルを徐々に上げていき（ステップＳ２５）、テストレベルが上限レベル１に到達するまで、繰り返し実行する（ステップＳ２４）。なお下限レベル１から上限レベル１までは、１３段階のレベルに等分割されており、ステップＳ２５では、テストレベルをこの１３段階に上げていくこととする。なおフィールドの途中で、各テストレベルの切替（レジスタ値の切替）や検出タイミングを行うと正確性に欠くことになるため、これらはフィールドの割り込み時に行われる。
【００５３】
そしてテストレベルが上限レベル１に到達したら（ステップＳ２４のＹ）、エラーライン数のチェックを行った１３段階のレベルのうち、エラーライン数が最低であったテストレベルを選出し（ステップＳ２６）、ＳＴＥＰ１の調整処理を終了する。例えば図７の上段に示すように、ＡからＭまでの各テストレベルにおけるエラーライン数が検出された場合であれば、Ｇのテストレベルを選出する。
【００５４】
次にＳＴＥＰ２の処理内容について、図４および図７に基づいて説明する。ＳＴＥＰ２では、先述した１３段階のレベルのうち、ＳＴＥＰ１で選出されたレベルの１段階下（以下、「下限レベル２」とする）から、逆に１段階上（以下、「上限レベル２」とする）までにおいて、スライスレベルとして最適なレベルを細かく選出することを目的とする。
【００５５】
まず、テストレベル（ＲＥＦ１とＲＥＦ２）を下限レベル２にセットする（ステップＳ３１）。そしてこの状態で、ステップＳ１の場合と同様にエラーライン数のチェックを行い（ステップＳ３２）、その時のエラーライン数をレジスタ等に保持する（ステップＳ３３）。
【００５６】
これらステップＳ３２およびＳ３３の処理は、テストレベルを徐々に上げていき（ステップＳ３５）、テストレベルが上限レベル２に到達するまで、繰り返し実行する（ステップＳ３４）。なお下限レベル２から上限レベル２までは、９段階のレベルに等分割されており、ステップＳ３５では、テストレベルをこの９段階に上げていくこととする。
【００５７】
そしてテストレベルが上限レベル２に到達したら（ステップＳ３４のＹ）、エラーライン数のチェックを行った９段階のレベルのうち、エラーライン数が最低であったテストレベルを選出し（ステップＳ３６）、ＳＴＥＰ２の調整処理を終了する。例えば図７の下段に示すように、ＦからＨまでの各テストレベルにおけるエラーライン数が検出された場合であれば、Ｇより１段階下のテストレベルを選出する。
【００５８】
以上に説明したＳＴＥＰ１とＳＴＥＰ２の一連の処理によって、下限レベル１から上限レベル１までにおいて、スライスレベルとして最適なレベルを高精度かつ効率良く探索することが可能である。すなわち本方法では、スライスレベルとして適切なレベルをＳＴＥＰ１で粗めに選出し、ＳＴＥＰ２でその近傍のみを細かく調べて再度選出するため、初めから所望のレベルを細かく調べて選出するよりも、処理が簡潔となる。なおＳＴＥＰ１またはＳＴＥＰ２におけるレベル分割やエラーチェックの内容等は、当該処理の目的を達成できる限り、上記のものには限定されない。
【００５９】
またステップＳ１およびＳ２（第１調整の初め）に、ＡＵＴＯ設定にてエラーライン数をチェックすることとしているのは、処理の効率を上げるためである。すなわち、ＥＰＧ信号波形の歪みが小さい場合は、ＡＵＴＯ設定のように簡便な処理でも、適切なスライスレベルの探索を行うことが可能であり、迅速かつ制御装置の負荷を抑えた処理が実現できる。そしてＥＰＧ信号波形の歪みが大きいこと等により、ＡＵＴＯ設定では適切なスライスレベルが探索できない場合に初めてＳＴＥＰ１・ＳＴＥＰ２の処理を行うようにすることで、処理負担と処理精度のバランスを考慮した、適切なスライスレベルの調整処理が実現される。
【００６０】
またステップＳ８およびＳ９（第２調整の初め）に、第１調整での設定状態でエラーライン数をチェックすることとしているのも、処理の効率を上げるためである。すなわち第１調整が適切になされていれば、通常、スライスレベルは既に適切に調整されていると考えられ、引き続きその設定状態を維持するだけで足りる。そして計時部６の誤差のため第１調整が適切になされていないこと等により、第１調整での設定状態ではスライスレベルとして不適切である場合に初めてＳＴＥＰ１・ＳＴＥＰ２の処理を行うようにすることで、処理負担と処理精度のバランスを考慮した、適切なスライスレベルの調整処理が実現される。
【００６１】
その他本発明は上記の実施形態に限定されず、本発明の趣旨を逸脱しない範囲で、種々の変更が可能である。例えば、ＳＴＥＰ１・ＳＴＥＰ２の処理の代わりに他の処理工程を設けるようにしても良い。また上記の実施形態は受信信号としてＥＰＧ信号を挙げて説明をしたが、所定時刻に送信が開始される信号であれば、他種の信号であっても良い。
【図面の簡単な説明】
【００６２】
【図１】本発明の実施形態におけるＥＰＧデータ取得装置の構成図である。
【図２】本発明の実施形態におけるスライスレベル調整の全体的な流れ図である。
【図３】本発明の実施形態におけるＳＴＥＰ１の処理に関する流れ図である。
【図４】本発明の実施形態におけるＳＴＥＰ２の処理に関する流れ図である。
【図５】エラーライン数のチェックの内容を説明するための説明図である。
【図６】本発明に係る再調整待機時間の内容を説明するための説明図である。
【図７】ＳＴＥＰ１及びＳＴＥＰ２の処理に関する説明図である。
【図８】ＥＰＧデータを搬送するＴＶ信号の内容を説明するための説明図である。
【符号の説明】
【００６３】
１    アンテナ
２    受信部
３    検波回路
４    ＥＰＧデータ抽出部（データ取得部）
５    スライスレベル調整部
６    計時部
７    記憶部
８    制御部
９    ＴＶ受信装置
１１    ＥＰＧ信号
１２    テストレベル
【図１】
2007235708.tif 000003
【図２】
2007235708.tif 000004
【図３】
2007235708.tif 000005
【図４】
2007235708.tif 000006
【図５】
2007235708.tif 000007
【図６】
2007235708.tif 000008
【図７】
2007235708.tif 000009
【図８】
2007235708.tif 000010